(57)【要約】【課題】  電池室カバーを取り外すとなると、無くすおそれがある。【解決手段】  電池が収納される筐体に設けられた電池室と、電子機器の内部回路に電気的につながる一側面に設けられた電気接点が筐体側に向いて電池室を塞ぐ閉状態と一側面が筐体の外側を向いて電気接点が筐体の外部に露出する開状態とに開閉自在に筐体に設けられている電池蓋とを備えて、電子機器を構成した。【選択図】  図４
2011018458.tif 000002
【特許請求の範囲】
【請求項１】
電池が収納される筐体に設けられた電池室と、
電子機器の内部回路に電気的につながる一側面に設けられた電気接点が前記筐体側に向いて前記電池室を塞ぐ閉状態と前記一側面が前記筐体の外側を向いて前記電気接点が前記筐体の外部に露出する開状態とに開閉自在に前記筐体に設けられている電池蓋と
を備えた電子機器。
【請求項２】
請求項１に記載の電子機器において、
前記電池蓋は、前記閉状態時に前記電池室を塞ぐ蓋体と前記蓋体にスライド自在に収納された収納体との二重構造で構成されている
ことを特徴とする電子機器。
【請求項３】
請求項２に記載の電子機器において、
前記筐体は、前記開状態にある前記電池蓋を格納する格納部を側面に備え、
前記電池蓋は、前記収納体が前記蓋体からスライドされることで、前記閉状態時に前記格納部に形成される空間を埋める
ことを特徴とする電子機器。
【発明の詳細な説明】
【技術分野】
【０００１】
本発明は、電子機器に関する。
【背景技術】
【０００２】
特許文献１に開示されたようなカメラ用外部電源装置がカメラの電池室に取り付けられる際、カメラの電池室カバーが取り外される。
【先行技術文献】
【特許文献】
【０００３】
【特許文献１】特開２００７−９３９６９号公報
【発明の概要】
【発明が解決しようとする課題】
【０００４】
しかしながら、電池室カバーを取り外すとなると、電池室カバーを無くすおそれがある。
【課題を解決するための手段】
【０００５】
本発明はこのような課題を解決するためになされたもので、
電池が収納される筐体に設けられた電池室と、
電子機器の内部回路に電気的につながる一側面に設けられた電気接点が筐体側に向いて電池室を塞ぐ閉状態と一側面が筐体の外側を向いて電気接点が筐体の外部に露出する開状態とに開閉自在に筐体に設けられている電池蓋と
を備えて電子機器を構成した。
【発明の効果】
【０００６】
本発明によれば、電池室カバーを無くすおそれがない。
【図面の簡単な説明】
【０００７】
【図１】本発明の一実施の形態によるデジタルカメラの外観を示す正面斜視図である。
【図２】図１に示すデジタルカメラの、バッテリーパックと対峙する下面にある電池蓋付近の断面図である。
【図３】図２に示す状態の電池蓋内部にある収納体がスライドした図である。
【図４】図２に示す電池蓋が回転ヒンジを中心として１８０°回転した図である。
【図５】図４に示す状態の電池蓋内部にある収納体がスライドした図である。
【発明を実施するための形態】
【０００８】
本発明による電子機器をデジタルカメラに適用した場合における一実施の形態について説明する。
【０００９】
図１は、この一実施の形態によるデジタルカメラ１の外観を示す正面斜視図である。
【００１０】
デジタルカメラ１の正面中央部には、被写界からの光を撮像素子に導く光学レンズユニット２が設けられている。光学レンズユニット２の右上方には、被写界で発生する音を拾って電気信号に変換するマイク３が設けられており、左上方には、シャッターボタン４が設けられている。また、シャッターボタン４の後方の肩部上面には、撮影時の種々の情報が表示される撮影情報表示パネル５が設けられており、反対側の肩部上面には、種々の撮影モードを設定するための撮影モードダイヤル６が設けられている。また、デジタルカメラ１の中央上部のペンタ部１Ａには、ストロボ装置などを取り付けるためのアクセサリシュー７が設けられている。また、デジタルカメラ１の下部には、デジタルカメラ１に電源供給する、デジタルカメラ１の筐体９に着脱可能なバッテリーパック８が装着されている。
【００１１】
図２は、図１に示すデジタルカメラ１の、バッテリーパック８と対峙する下面にある電池蓋１１付近の断面図である。
【００１２】
デジタルカメラ１のこの下面内部における筐体９内には、電池室１２が設けられている。電池室１２には電池１３が収納されており、電池室１２は電池蓋１１で覆われている。電池蓋１１に隣接する筐体９の下面側面には、電池蓋１１とほぼ同じ容積の凹形状の格納部１４が形成されている。電池蓋１１は、同図に示すその閉状態時に電池室１２を塞ぐ蓋体１１ａと、蓋体１１ａにスライド自在に収納された収納体１１ｂとの二重構造で構成されている。また、電池蓋１１の一側面には、バッテリーパック等の外部機器と電気的に接続するための電気接点１５が、電池１３と同様に３つ設けられている。このうち２つの電気接点１５は、外部機器が有する電源に接続されるプラス極およびマイナス極であり、残りの１つの電気接点１５は、外部機器とデジタルカメラ１間で電源の種類等の情報を伝達するために設けられている。電池蓋１１は、一端部に回転ヒンジ１６を備えており、この回転ヒンジ１６を中心として他端部が回転自在に構成されている。また、この回転ヒンジ１６の軸内には、電気接点１５から延びている図示しないリード線が通っている。このリード線は、さらに延びて、デジタルカメラ１内部の図示しない内部電気回路と電気的につながっている。
【００１３】
図３は、図２に示す状態の電池蓋１１の内部にある収納体１１ｂがスライドした図である。なお、同図において図２と同一部分には同一符号を付してその説明は省略する。
【００１４】
デジタルカメラ１を用いた通常の撮影が行われる場合、電池蓋１１内部にある収納体１１ｂは、蓋体１１ａから矢印で示す左方向にスライドして、格納部１４に収められる。このスライドした後の収納体１１ｂは、この位置で、図示しない係止部材によりデジタルカメラ１にロックされる。この状態において、電池蓋１１は、収納体１１ｂが蓋体１１ａからスライドされることで、閉状態時に図２に示すように格納部１４に形成されていた空間を埋め、デジタルカメラ１の下面は、格納部１４に形成された凹状のくぼみが無くなって平らになる。
【００１５】
図４（ａ）は、図２に示す電池蓋１１が回転ヒンジ１６を中心として１８０°回転した図である。なお、同図において図２と同一部分には同一符号を付してその説明は省略する。
【００１６】
バッテリーパック８を用いてデジタルカメラ１に電源供給を行う場合、電池蓋１１は、一端部の回転ヒンジ１６を中心として他端部が１８０°回転されて、同図に示すように凹状の格納部１４に収められる。電池蓋１１は、電気接点１５が筐体９側に向いて電池室１２を塞ぐ図２に示す閉状態と、一側面が筐体９の外側を向いて電気接点１５が筐体９の外部に露出する図４（ａ）に示す開状態とに、開閉自在に筐体９に設けられている。
【００１７】
電池蓋１１の１８０°回転後、電池蓋１１の電気接点１５は、デジタルカメラ１の外部、つまりデジタルカメラ１の下面を向いているため、バッテリーパック８の電気接点８ａと電気的に接続することが可能である。電池蓋１１の電気接点１５とバッテリーパック８の電気接点８ａとの接続時には、バッテリーパック８の電力が、矢印に示すように、電気接点８ａ、１５および回転ヒンジ１６を介して、デジタルカメラ１の内部回路に供給される。また、この接続時には、開状態にある電池蓋１１が格納部１４に格納され、電池蓋１１が１８０°回転される前に図２に示すように占めていた空間１８は、バッテリーパック８の突出部８ｂが占める。
【００１８】
図５は、図４（ａ）に示す状態の電池蓋１１の内部にある収納体１１ｂがスライドした図である。
【００１９】
図示しない充電台（クレードル）を用いて電池１３を充電する場合、電池蓋１１は、収納体１１ｂが蓋体１１ａから右方向にスライドされることで、空間１８を埋め、デジタルカメラ１の下面をフラットにする。収納体１１ｂは、スライド後、図示しない係上部材によってデジタルカメラ１にロックされる。収納体１１ｂは、電池１３を覆うため、電池１３がデジタルカメラ１から外れるのを防ぐ。
【００２０】
このような状態で、フラットになったデジタルカメラ１下部に図示しない充電台を設置することにより、図示しない充電台の電気接点は、外部に露出した電池蓋１１の電気接点１５と接続される。この接続時には、充電台からの電力が、これらの電気接点を介してデジタルカメラ１の内部回路に供給され、さらに、内部回路と電気的に接続している電池１３に供給されて、電池１３が充電される。
【００２１】
このような本実施形態によるデジタルカメラ１によれば、電池蓋１１が開閉自在にデジタルカメラ１の筐体９に設けられているため、従来のように電池蓋１１をデジタルカメラ１から外すことで、電池蓋１１を無くすおそれがなくなる。また、電池蓋１１は、電池室１２を塞ぐ図２に示す閉状態から、一側面が筐体９の外側を向いて電気接点１５が筐体９の外部に露出する図４（ａ）に示す開状態になる。このため、電池蓋１１の開状態において、筐体９の外部に露出した電気接点１５によってバッテリーを備えたバッテリーパック８等の外部機器を接続することにより、電池蓋１１に設けられた電気接点１５を介して、外部機器からの電力をデジタルカメラ１の内部回路に供給することができる。また、この際、開閉自在に筐体９に設けられている電池蓋１１、および電池室１２に収納された電池１３をデジタルカメラ１から外さないで、外部機器からの電力をデジタルカメラ１の内部回路に供給することが可能である。このため、電池蓋１１および電池１３をデジタルカメラ１から外す手間を省いてデジタルカメラ１に給電できるため、利便性が向上する。
【００２２】
また、電池蓋１１に設けられた電気接点１５を介して、バッテリーパック８の電力をデジタルカメラ１の内部回路に供給することができるため、従来のように、バッテリーパック８の電力をデジタルカメラ１に供給する電気接点を、電池室１２に挿入される形状をしたバッテリーパック８の突出部の先端に設け、電池室１２の底にある電気接点と接続させる必要がなくなる。このために、バッテリーパック８に、電池室１２に挿入される形状をした突出部を設ける必要がなくなり、突出部が突出して歪な形状をしていたバッテリーパック８はコンパクトな形状となり、持ち運びが容易になる。また、本実施形態によるデジタルカメラ１によれば、電池蓋１１の閉状態時に、蓋体１１ａが電池室１２を塞いだ図２に示す状態で、蓋体１１ａに対して収納体１１ｂが図３に示すようにスライドされる。このため、蓋体１１ａからスライドした収納体１１ｂにより、蓋体１１ａに隣接する筐体９表面の外部に露出させたくない部分、例えばコネクタが形成された部分を覆って隠したり、蓋体１１ａに隣接する筐体９表面の格納部１４に形成される空間を埋めることができる。
【００２３】
また、本実施形態によるデジタルカメラ１によれば、筐体９が、開状態にある電池蓋１１を図４に示すように格納する格納部１４を側面に備えている。このため、電池蓋１１が開状態にある場合に、デジタルカメラ１を台などに置いた時や、デジタルカメラ１を落下させた時などに、開状態にある電池蓋１１が筐体９表面から突出することにより、電池蓋１１が破損してしまうことがなくなる。また、収納体１１ｂが蓋体１１ａからスライドされることで、電池蓋１１の閉状態時に筐体９側面の格納部１４に形成される空間が、図３に示すように埋められる。このため、デジタルカメラ１の筐体９表面はフラットな構造となり、デジタルカメラ１の使用中に使用者がこの格納部１４に形成される空間に指等を引っ掛けてしまうこともなくなり、快適にデジタルカメラ１を使用できるようになると共に、デジタルカメラ１をフラットな外観にすることができる。
【００２４】
なお、本実施形態では、電池蓋１１は回転ヒンジ１６を中心に１８０°回転する構造であったが、電池蓋１１の回転角度は、１８０°に限らず、任意の角度であってよい。
【００２５】
図４（ｂ）は、本発明の変形例を示す図である。この変形例の構成では、電池１３およびバッテリーパック８に対して電気接点１３ａおよび電気接点８ｃが設けられている。バッテリーパック８の突出部８ｂに設けられた電気接点８ｃと、電池１３の電気接点１３ａとが接続されると、バッテリーパック８の電力が、矢印に示すように、これらの電気接点８ｃ、１３ａを介して電池１３に供給され、電池１３が充電される。なお、矢印とは逆方向に、電池１３の電力が、電気接点１３ａ、８ｃを介してバッテリーパック８に供給され、さらにこのバッテリーパック８および電気接点８ａ、１５を介してデジタルカメラ１に供給される構成であってもよい。
【００２６】
上記実施形態においては、本発明をデジタルカメラ１に適用した場合について説明したが、動画像を撮影するビデオカメラや、カメラ付き携帯電話機等のその他の電子機器にも適用することが可能である。このような電子機器に本発明を適用した場合においても、上記実施形態と同様な作用効果が奏される。
【符号の説明】
【００２７】
１…デジタルカメラ
８…バッテリーパック
８ａ、８ｃ…電気接点
８ｂ…突出部
９…筐体
１１…電池蓋
１１ａ…蓋体
１１ｂ…収納体
１２…電池室
１３…電池
１３ａ…電気接点
１４…格納部
１５…電気接点
１６…回転ヒンジ
１８…空間
【図１】
2011018458.tif 000003
【図２】
2011018458.tif 000004
【図３】
2011018458.tif 000005
【図４】
2011018458.tif 000006
【図５】
2011018458.tif 000007